(57)【要約】【課題】容易且つ速やかに可動板を移動動作させることが可能な情報表示装置、アナログ電子時計、及び、圧電アクチュエータを提供する。【解決手段】開口部が設けられた表示盤と、所定の電圧が印加されることで伸長し、それぞれ一の端部が変位する一対の圧電素子と、一の端部の変位に応じ、一の圧電素子に係る一の端部に接する位置から他の圧電素子に係る一の端部に接する位置へ移動する移動部材と、移動部材と一対の圧電素子の何れかとの接触状態を維持するための移動部材停止手段と、移動部材の移動に応じて開口部からの露出状態が切り替えられる標識と、所定の電圧の印加を制御する表示制御手段と、を備える。【選択図】図３
2014062761.tif 000002
【特許請求の範囲】
【請求項１】
開口部が設けられた表示盤と、
所定の電圧が印加されることで伸長し、それぞれ一の端部が変位する一対の圧電素子と、
前記一の端部の変位に応じ、一の前記圧電素子に係る前記一の端部に接する位置から他の前記圧電素子に係る前記一の端部に接する位置へ移動する移動部材と、
前記移動部材と前記一対の圧電素子の何れかとの接触状態を維持するための移動部材停止手段と、
前記移動部材の移動に応じて前記開口部からの露出状態が切り替えられる標識と、
前記所定の電圧の印加を制御する表示制御手段と
を備えることを特徴とする情報表示装置。
【請求項２】
前記移動部材には強磁性体が含まれ、
前記移動部材停止手段は、磁石である
ことを特徴とする請求項１記載の情報表示装置。
【請求項３】
前記移動部材の移動は、予め定められた第１回転軸の周りを所定の第１角度範囲で回動する動作であることを特徴とする請求項１又は２記載の情報表示装置。
【請求項４】
上面に前記標識が設けられ、前記移動部材に固着された移動標識部を備え、
当該移動標識部が前記移動部材の移動に連動して前記開口部に対して移動することで、前記標識の前記開口部からの露出状態が切り替えられる
ことを特徴とする請求項１〜３の何れか一項に記載の情報表示装置。
【請求項５】
上面に前記標識が設けられ、前記開口部に対応する位置に配置された標識部と、
当該標識部と前記開口部との間に設けられ、前記移動部材に固着されたシャッター部と
を備え、
前記シャッター部が前記移動部材の移動に連動して前記開口部に対して移動することで、前記標識を選択的に遮蔽又は開放する
ことを特徴とする請求項１〜３の何れか一項に記載の情報表示装置。
【請求項６】
前記標識部には、所定の回転軸の周りに複数の標識が環状に配列されて設けられ、当該標識部が回転されることで前記開口部に対応する位置に所定数の標識が選択的に配置される
ことを特徴とする請求項５記載の情報表示装置。
【請求項７】
前記移動部材の移動の途中で当該移動部材と接触することで運動量を得て、前記移動部材の移動方向に応じた所定の位置へ移動する連結移動部材を備え、
前記標識は、当該連結移動部材の移動に応じて前記開口部からの露出状態が切り替えられる
ことを特徴とする請求項１〜３の何れか一項に記載の情報表示装置。
【請求項８】
前記連結移動部材は、第２回転軸の周りを所定の第２角度範囲で回転動作する
ことを特徴とする請求項７記載の情報表示装置。
【請求項９】
前記連結移動部材を前記第２角度範囲の両端の角度位置で静止させるための回転静止手段を備えることを特徴とする請求項８記載の情報表示装置。
【請求項１０】
前記回転静止手段は、前記第２角度範囲における所定の中間角度位置から両端の角度位置への向きの力を前記連結移動部材に加える弾性部材であることを特徴とする請求項９記載の情報表示装置。
【請求項１１】
上面に前記標識が設けられ、前記連結移動部材に固着された移動標識部を備え、
当該移動標識部が前記連結移動部材の移動に連動して前記開口部に対して移動することで、前記標識の前記開口部からの露出状態が切り替えられる
ことを特徴とする請求項７〜１０の何れか一項に記載の情報表示装置。
【請求項１２】
上面に前記標識が設けられ、前記開口部に対応する位置に配置された標識部と、
当該標識部と前記開口部との間に設けられ、前記連結移動部材に固着されたシャッター部と
を備え、
前記シャッター部が前記連結移動部材の移動に連動して前記開口部に対して移動することで、前記標識を選択的に遮蔽又は開放する
ことを特徴とする請求項７〜１０の何れか一項に記載の情報表示装置。
【請求項１３】
前記標識部には、所定の回転軸の周りに複数の標識が環状に配列されて設けられ、当該標識部が回転されることで前記開口部に対応する位置に所定数の標識が選択的に配置される
ことを特徴とする請求項１２記載の情報表示装置。
【請求項１４】
請求項１〜１３の何れか一項に記載の情報表示装置と、
複数の指針と、
時刻を計数する計時手段と、
前記計時手段の計数する時刻に応じて前記複数の指針を動作させて時刻を示させる指針制御手段と、
を備えることを特徴とするアナログ電子時計。
【請求項１５】
所定の電圧が印加されることで伸長し、それぞれ一の端部が変位する一対の圧電素子と、
前記一の端部の変位に応じ、一の前記圧電素子に係る前記一の端部に接する位置から他の前記圧電素子に係る前記一の端部に接する位置へ移動する移動部材と、
前記移動部材と前記一対の圧電素子の何れかとの接触状態を維持するための移動部材停止手段と
を備えることを特徴とする圧電アクチュエータ。
【発明の詳細な説明】
【技術分野】
【０００１】
この発明は、情報表示装置、アナログ電子時計、及び、圧電アクチュエータに関する。
【背景技術】
【０００２】
指針を用いて時刻を表示するアナログ電子時計がある。従来、アナログ電子時計では、ステッピングモータを回転駆動して、この回転を歯車の配列である輪列機構を介して指針に伝達することで、指針を所望の位置に移動させて時刻の表示を行わせている。
【０００３】
近年、アナログ電子時計では、多機能化に伴い、時刻だけではなく、日付や曜日をはじめとする多くの情報の中から選択的に表示を行わせることが可能となっている。しかしながら、表示し得る情報に係る標識や目盛を全て表示盤上に設けて指針で指し示させると、指針がどの標識や目盛を指し示しているのか判別が困難になるという問題がある。そこで、表示盤の下に配置された可動板（回転板）を回転移動させ、必要な情報に係る標識や目盛のみを選択的に表示盤に設けられた開口部から露出させる技術が開発されている（特許文献１）。
【先行技術文献】
【特許文献】
【０００４】
【特許文献１】特開２０１１−０２７６１８号公報
【発明の概要】
【発明が解決しようとする課題】
【０００５】
しかしながら、指針と比較してトルクの大きい可動板を指針と同様にステッピングモータの駆動により回転させる場合、一度に指針と同程度の角度を回転させることが可能な輪列機構を小型軽量のアナログ電子時計に設けるのが難しいという問題がある。従って、従来、可動板を回転させる場合には、１ステップ当たりの回転角度を小さくして連続的に多数回駆動させることで対応していた。その結果、可動板を高速で移動させることが困難になるという課題があった。
【０００６】
この発明の目的は、容易且つ速やかに可動板を移動動作させることが可能な情報表示装置、アナログ電子時計、及び、圧電アクチュエータを提供することにある。
【課題を解決するための手段】
【０００７】
本発明は、上記目的を達成するため、
開口部が設けられた表示盤と、
所定の電圧が印加されることで伸長し、それぞれ一の端部が変位する一対の圧電素子と、
前記一の端部の変位に応じ、一の前記圧電素子に係る前記一の端部に接する位置から他の前記圧電素子に係る前記一の端部に接する位置へ移動する移動部材と、
前記移動部材の移動に応じて前記開口部からの露出状態が切り替えられる標識と、
前記所定の電圧の印加を制御する表示制御手段と
を備えることを特徴とする情報表示装置である。
また、上記目的を達成するため、
所定の電圧が印加されることで伸長し、それぞれ一の端部が変位する一対の圧電素子と、
前記一の端部の変位に応じ、一の前記圧電素子に係る前記一の端部に接する位置から他の前記圧電素子に係る前記一の端部に接する位置へ移動する移動部材と、
前記移動部材と前記一対の圧電素子の何れかとの接触状態を維持するための移動部材停止手段と
を備えることを特徴とする圧電アクチュエータである。
【発明の効果】
【０００８】
本発明に従うと、情報表示装置、アナログ電子時計、及び、圧電アクチュエータにおいて、容易且つ速やかに可動板を移動動作させることができるという効果がある。
【図面の簡単な説明】
【０００９】
【図１】本発明の第１実施形態のアナログ電子時計の正面図である。
【図２】アナログ電子時計の内部構成を示すブロック図である。
【図３】日車及びシャッターとその動作に係る構成を説明する図である。
【図４】日車及びシャッターとその動作に係る構成を説明する図である。
【図５】シャッターの動作機構を説明する斜視図である。
【図６】変形例１のシャッター動作に係る構成を説明する図である。
【図７】変形例１のシャッターの動作機構を説明する斜視図である。
【図８】第２実施形態のアナログ電子時計の内部構成を示すブロック図である。
【図９】第２実施形態のアナログ電子時計のシャッターの動作に係る構成を説明する図である。
【図１０】変形例２のシャッター動作に係る構成を説明する図である。
【発明を実施するための形態】
【００１０】
以下、本発明の実施の形態を図面に基づいて説明する。
【００１１】
［第１実施形態］
図１は、本発明の第１実施形態の情報表示装置であるアナログ電子時計１００の正面図である。
このアナログ電子時計１００は、バンド７が取り付けられた本体部２の文字盤３（表示盤）と上面を覆う図示略の風防ガラスとの間に、秒針１２、分針１３、及び、時針１４が回動可能に設けられている。また、文字盤３には、開口部５が設けられている。本体部２の周縁部には、ベゼル４が設けられ、また、側面部には、押しボタンスイッチＳ１〜Ｓ３と、りゅうずＳＲとが設けられている。
【００１２】
開口部５からは、日車１５（標識部）、又は、シャッター１６（シャッター部）の何れかが露出される。図１（ａ）に示すように、シャッター１６が露出されない場合（シャッター１６が開いている場合）には、日車１５の上面に設けられた日付標識が露出（開放）されて日付が表示される。一方、図１（ｂ）に示すように、シャッター１６が露出される場合（シャッター１６が閉じている場合）には、シャッター１６により日付標識が遮られて（遮蔽）、日付の表示が行われない。
【００１３】
図２は、アナログ電子時計１００の内部構成を示すブロック図である。
【００１４】
このアナログ電子時計１００は、駆動回路４７と、ステッピングモータ３２、３４と、輪列機構２２〜２５と、秒針１２、分針１３、及び、時針１４（複数の指針）と、日車１５と、駆動部４８と、圧電アクチュエータ３６０と、シャッター１６と、電源部５１と、昇圧回路５２と、操作部５３と、ＣＰＵ４１（Central Processing Unit）（表示制御手段、指針制御手段）と、ＲＯＭ４２（Read Only Memory）と、ＲＡＭ４３（Random Access Memory）と、発振回路４４と、分周回路４５と、計時回路４６（計時手段）と、電波受信部５４と、アンテナ５５などを備えている。
【００１５】
駆動回路４７は、ＣＰＵ４１からの制御信号に基づいてステッピングモータ３２、３４に駆動パルスを出力し、ステッピングモータ３２、３４のロータを所定角度ずつ（例えば、１８０度）回転動作させる。
【００１６】
ステッピングモータ３２のロータの回転は、輪列機構２２を介して秒針１２に伝達される。このとき、輪列機構２２の歯車の回転は、更に輪列機構２３を介して分針１３に伝達される。これにより、秒針１２と分針１３とは、連動して回転動作する。また、ステッピングモータ３４のロータの回転は、輪列機構２４を介して時針１４に伝達される。このとき、輪列機構２４の歯車の回転は、更に輪列機構２５を介して日車１５に伝達される。ここで、輪列機構２５は、後述するように、輪列機構２４の歯車の回転のうち、所定の期間（位相）でのみ回転を日車１５に伝達する構成であり、時針１４の回転に対し、日車１５を間欠的に連動させて回転させる。
【００１７】
駆動部４８は、ＣＰＵ４１から入力される制御信号に基づいて圧電アクチュエータ３６０を動作させる駆動信号を出力する。圧電アクチュエータ３６０は、駆動部４８から入力された駆動信号に応じて昇圧回路５２から入力される電圧が圧電素子に印加されることで動作する。この圧電アクチュエータ３６０の動作に基づいてシャッター１６が回転される。圧電アクチュエータ３６０の構造及び動作については後に詳述する。
【００１８】
電源部５１は、アナログ電子時計１００の各部に電力を供給する。本実施形態のアナログ電子時計１００の電源部５１は、例えば、ボタン型の一次電池を備えるが、アナログ電子時計１００の必要電力、サイズ、及び、重量に応じてその他のバッテリを利用、又は、併用することが出来る。例えば、電源部５１は、ソーラ発電と蓄電池（二次電池）とを組み合わせた構成であっても良い。昇圧回路５２は、電源部５１から入力された電圧を圧電アクチュエータ３６０の動作に必要な所定の電圧に昇圧させる。
【００１９】
発振回路４４は、例えば、水晶発振回路であり、一定の周波数信号を生成して出力する。分周回路４５は、発振回路４４から入力された周波数信号をＣＰＵ４１や計時回路４６が利用する所定の周波数の信号に分周して出力する。計時回路４６は、分周回路４５から入力された所定の周波数信号の回数を計数し、初期設定時刻に加算していくことで現在時刻を計数する。
【００２０】
ＣＰＵ４１は、各種演算処理を行い、アナログ電子時計１００の全体動作を統括制御する。ＣＰＵ４１は、ＲＯＭ４２に格納され制御プログラムを実行することで、アナログ電子時計１００の各部に種々の動作を行わせる。ＲＯＭ４２は、アナログ電子時計１００の制御動作に係る制御プログラムや各種初期設定データを記憶、格納している。ＲＡＭ４３は、ＣＰＵ４１に作業用メモリ空間を提供し、一時データやユーザ設定データなどを記憶する揮発性メモリである。
【００２１】
操作部５３は、ユーザの操作を受け付けて電気信号に変換し、入力信号としてＣＰＵ４１に出力する。この操作部５３には、押しボタンスイッチＳ１〜Ｓ３及びリューズＳＲが含まれる。このアナログ電子時計１００では、例えば、押しボタンスイッチＳ１が繰り返し押下されることで、シャッター１６が交互に開閉される構成となっている。
【００２２】
電波受信部５４は、アンテナ５５を用いて時刻情報を含む長波標準電波を受信、復調するための受信回路である。電波受信部５４は、ＣＰＵ４１からの指令により、所定の時刻（例えば、午前１時）に定期的に標準電波の受信を開始し、復調された時刻信号をＣＰＵ４１に出力する。この時刻信号をＣＰＵ４１が解読することで正確な時刻情報が取得され、当該時刻情報に基づいてＣＰＵ４１が計時回路４６の時刻データを修正することで正しい時刻表示が保たれる。
【００２３】
次に、アナログ電子時計１００におけるシャッター動作に係る構成について説明する。
図３は、日車１５及びシャッター１６と、その動作に係る構成とを説明するための図である。また、図４は、上記構成を切断線Ａ−Ａで切断して側面から見た図である。
【００２４】
日車１５は、秒針１２、分針１３、及び、時針１４と同一の回転軸の周りを回転する円環状のディスクである。図３に示すように、この日車１５の上面には、日付を表す日付標識「１」〜「３１」が順番に配列されて設けられている。図４に示すように、日車１５は、文字盤３とケーシング６の間に設けられており、文字盤３の開口部５は、これらの日付標識のうちの一つが選択的に露出可能な大きさとなっている。本実施形態のアナログ電子時計１００において、日車１５にステッピングモータ３４の回転を伝達する輪列機構２５には、ゼネバ機構（Geneva Drive）の歯車２５ａ、２５ｂが含まれる。歯車２５ａと歯車２５ｂは、歯車２５ａが一周３６０度回転する間に９０度の範囲でのみ噛み合い、日車１５の内歯車（図示略）を介して日車１５を所定角度回転させる。歯車２５ａは、時針１４が二周する間に一周回転するようにギア比が調整されており、また、日車１５は、一回の所定角度の回転により、日付標識が一日分移動する。即ち、日車１５は、一日に一回所定の期間（例えば、２２時から２時）において、日付標識を一日分変化させる回転動作がなされる。
【００２５】
一方、シャッター１６は、日車１５よりも小さい円板形状であり、図４に示すように、日車１５の上部に設けられている。シャッター１６は、開口部５に隣接して設定された第１回転軸Ｒ１の周りを回転する。本実施形態のシャッター１６は、円板形状のうち、２７０度の範囲が不透明な材質の部材で形成又は上面の処理がなされており、この部分が開口部５から露出されることでシャッター１６が閉じられ、日車１５を覆い隠す。残りの９０度の範囲は、透明な材質の部材で形成されているか、或いは、開口部又は切欠部となっており、この部分が開口部５から露出されることでシャッター１６が開いた状態となって、日車１５が露出される。不透明な部分の上面は、特には限られないが、文字盤３と同一色とされることで、日車１５を覆い隠した際に開口部５の存在を目立たなくすることが出来る。
【００２６】
シャッター１６を動作させる圧電アクチュエータ３６０は、ベース部３６上に設けられた一対の圧電素子３７、３８（ピエゾ素子）と、磁石３９（移動部材停止手段）と、回転子２６（移動部材）とを備えている。シャッター１６は、第１回転軸Ｒ１の周りを回転移動する回転子２６（移動部材）の回転軸である第１回転軸部２６ａに固着されて設けられており、回転子２６の回転移動に連動して１８０度の範囲（第１角度範囲）で回転される構造となっている。
【００２７】
図５は、本実施形態のアナログ電子時計１００におけるシャッター１６の動作機構を説明するための斜視図である。  
【００２８】
圧電素子３７、３８と回転子２６とは、回転子２６が回動可能な１８０度の両端位置にある場合にそれぞれ接触する。回転子２６は、少なくとも鉄などの強磁性体を含み、圧電素子３７、３８の何れかに接触している状況では、磁化することで磁石３９により引寄せられて、接触状態が維持される。
【００２９】
圧電素子３７、３８は、積層型のものであって一方の端部（固定端）がベース部３６に固定されており、昇圧回路５２から供給された電圧が印加されることで伸長して他方の端部（開放端、一の端部）の位置が変化する。この位置変化により、一の圧電素子３７と接触している回転子２６を押し出す力が瞬間的に生じ、回転子２６は、磁石３９の引力から逃れて圧電素子３７と離隔すると共に、この力によって与えられた回転方向への運動量により、第１回転軸部２６ａ及びシャッター１６と共に１８０度回転する。そして、再び磁石３９と引き付けあうことで、他方の圧電素子３８と接触したところで運動が停止する。
即ち、本実施形態のアナログ電子時計１００のシャッター１６は、１８０度回転の両端に係る二通りの表示状態で静止する構成となっている。
【００３０】
このとき、磁石３９と回転子２６は、引力が強すぎると圧電素子３７、３８の伸長により回転子２６が確実に回転し難くなり、引力が弱すぎると、外部からの衝撃で容易に離隔してしまう。従って、磁石３９の強さは、適宜に調整される。或いは、磁石３９として電磁石を用い、回転子２６を離隔させる際に磁力を消去したり、永久磁石と電磁石とを併用し、回転子２６を離隔させる際に永久磁石の引力を相殺する磁力を電磁石に発生させたりすることとしてもよい。
【００３１】
［変形例１］
図６、図７は、第１実施形態のアナログ電子時計１００におけるシャッター１６ａ及び圧電アクチュエータ３６０の変形例１をそれぞれ示す平面図及び斜視図である。
【００３２】
この変形例１の圧電アクチュエータ３６０では、一対の圧電素子３７、３８が互いに直交するように配置されている。そして、回転子２６は、これらの圧電素子３７、３８の各開放端の間で９０度の回転移動が可能となっている。圧電素子３７及び圧電素子３８の開放端には、それぞれ、磁石３９ａ、３９ｂが設けられている。この場合、シャッター１６ａ（移動標識部）は、１８０度の範囲しか開口部５から露出されないので、当該１８０度の範囲、又は、図７に示すように、不透明部材が用いられる９０度の範囲のみに設けられる形状とすることができる。
【００３３】
また、図７に示すように、シャッター１６ａは、単なる日付標識の遮蔽として用いられる代わりに、他の情報を示すのに用いることが出来る。このアナログ電子時計１００ａでは、シャッター１６ａの上面には、標準電波を受信中であることを示す標識「Ｒ／Ｃ」が設けられ、標準電波の受信時にシャッター１６ａを回転動作させてこの標識を露出させることで、標準電波の受信中であることがユーザに報知される。
ここで、圧電素子３７、３８のなす角度を変更することで、シャッター１６ａの回転角度を９０度や１８０度以外の適宜な角度に設定することが出来る。
【００３４】
このように、第１実施形態のアナログ電子時計１００は、開口部５が設けられた文字盤３と、昇圧回路５２から供給される所定の電圧が印加されることで伸長し、それぞれ開放端が変位する積層タイプの圧電素子３７、３８と、圧電素子３７、３８の開放端の変位により押されて一方の圧電素子３７の開放端から離隔し、他方の圧電素子３８の開放端と接する位置まで移動する回転子２６と、回転子２６と圧電素子３７、３８の開放端との接触状態を維持するための磁石３９と、回転子２６の回転移動に伴って回転するシャッター１６により遮蔽又は開放露出される日車１５の日付標識や、シャッター１６ａ上の情報標識と、上記所定の電圧の印加を制御することでこれらの標識の露出状態を制御するＣＰＵ４１を備える。圧電素子３７、３８の電圧印加に対する応答速度は大変速いので、開放端の微小な変位により回転子２６は、速やかに運動量を得て回転動作を行う。従って、標識の表示状態も、従来のステッピングモータを使った回転円板の回転動作と比較して、速やかに変更されるので、ユーザが表示内容の変更を速やかに知得することが出来る。
【００３５】
また、圧電素子３７、３８を用いて回転子２６に運動量を与える圧電アクチュエータ３６０によりシャッター１６を回転させることで、シャッター１６の動作に係る構成を小型化することが出来る。従って、小型のアナログ電子時計のようにスペースに余裕がない情報表示装置であっても大型化や重量化させずに動作速度の改善を図ることが出来る。
【００３６】
また、磁石３９を用いて回転子２６が圧電素子３７、３８の開放端との接触状態を維持できる構成としているので、変位量が微小な圧電素子３７、３８の変位により確実に回転子２６が力を受けることが出来る。
【００３７】
また、磁石３９を用いることで、磁力により回転子２６の位置を維持するので、アナログ電子時計１００が携帯型であって姿勢が変化する場合であっても、重力の影響に対応することができる。
【００３８】
また、回転子２６は、第１回転軸部２６ａの周りを所定角度回転することでシャッター１６、１６ａを回転動作させる構成なので、回転子２６に摩擦力等の余分な抵抗を与えづらく、スムーズにシャッター１６、１６ａを回転動作させることが出来る。
【００３９】
また、回転子２６の回転とシャッター１６の回転が連動して行われる構造なので、回転子２６からシャッター１６への力の伝達に係るロスを考慮する必要が無い。
【００４０】
また、シャッター１６ａの上面に直接情報標識が設けられているので、標識の表示有無のみに係る切り替えの場合には、他に余分な構成を設ける必要が無く、速やかに情報標識の表示の露出、又は、隠蔽の切り替えを行うことが出来る。
【００４１】
また、シャッター１６によって、シャッター１６の更に下部に設けられた日車１５の標識の表示有無を切り替えるので、表示の必要が無い標識を速やかに隠すことで、文字盤３のデザインの制約を低減させることができる。
【００４２】
また、シャッター１６によって更に下部の日車１５の標識の表示有無を切り替えることが出来るので、表示する内容自体の種別が多く、且つ、切り替えには高速性が要求されない一方で、表示の有無に係る切り替えを速やかに行いたい場合に、必要な構成を適切に配置することで、装置の重量化や大型化を避けることが出来る。
【００４３】
また、特に、上記発明をアナログ電子時計１００に適用することで、携帯性の悪化を避けながら視認性の向上を図ることが出来る。
【００４４】
［第２実施形態］
次に、第２実施形態のアナログ電子時計１００ａについて説明する。このアナログ電子時計１００ａは、シャッター１６の動作に係る内部構成がアナログ電子時計１００における当該部分の内部構成と異なる点を除き同一である。第２実施形態のアナログ電子時計１００ａの外観構成は、図１に示した第１実施形態のアナログ電子時計１００と同一であるので、説明を省略する。
【００４５】
図８は、アナログ電子時計１００ａの内部構成を示すブロック図である。
アナログ電子時計１００ａの内部構成は、圧電アクチュエータ３６０とシャッター１６の間に回転動作部２７（連結移動部材）が設けられた点を除き、アナログ電子時計１００と同一であり、同一の符号を付して説明を省略する。
【００４６】
図９は、アナログ電子時計１００ａにおけるシャッター１６の動作に係る構成を説明するための（ａ）平面図及び（ｂ）側面図である。
本実施形態の回転子２６には、回転面内で回転方向に垂直に伸びた動作片２６ｂが設けられている。また、第１回転軸Ｒ１と隣接する第２回転軸Ｒ２の周りを回転する回転動作部２７、及び、回転動作部２７を静止させるための板ばね２８（回転静止手段、弾性部材）が設けられている。本実施形態の回転動作部２７は、例えば、等間隔で四本の腕（突起部）を有する十字型の形状をしており、動作片２６ｂが圧電素子３７、３８との接触位置から約９０度回転すると一本の腕と衝突するように配置されている。
【００４７】
動作片２６ｂと回転動作部２７の腕とが衝突すると、動作片２６ｂと回転動作部２７との間で運動量がやり取りされ、回転動作部２７を回転させる。回転動作部２７が４５度回転すると、板ばね２８の弾性力により回転動作部２７は、更に４５度回転して停止する。このアナログ電子時計１００ａでは、シャッター１６は、回転動作部２７の回転軸である第２回転軸部２７ａに固着されて設けられており、第２回転軸部２７ａが９０度（第２角度範囲）回転動作することでシャッター１６が９０度回転する。即ち、本実施形態のアナログ電子時計１００ａでは、第１回転軸Ｒ１の回転角度と第２回転軸Ｒ２（即ち、シャッター１６）の回転角度は、独立である。
ここで、回転動作部２７の腕の角度間隔を適宜に設定することで、シャッター１６の開閉に係る回転角度を変更することが出来る。また、動作片２６ｂと接する腕は、２本だけであるので、板ばね２８以外の方法で回転動作部２７の静止位置を固定する場合には（例えば、回転子２６と同様に磁石を用いることが可能である）、他の腕を設けなくても良い。
【００４８】
［変形例２］
図１０は、第２実施形態のアナログ電子時計１００ａにおけるシャッター１６の動作機構に係る変形例２を示す（ａ）平面図及び（ｂ）側面図である。
【００４９】
この変形例２の圧電アクチュエータ３６０では、圧電素子３７及び磁石３９ａと、圧電素子３８及び磁石３９ｂとが対向して配置されており、回転子２６が圧電素子３７、３８の間で往復運動する。この変形例２における圧電素子３７、３８の配置では、回転子２６の回転角度が大きくなるほど圧電素子３７、３８の変位により回転子２６を押す力が回転子２６の回転方向にかからなくなる。従って、回転子２６の回転角度は、小さい方が好ましい。即ち、圧電素子３７、３８の間隔を短く、及び／又は、第１回転軸部２６ａから回転子２６までの距離（回転半径）を長くすることで、より効率的に回転子２６を回転させることが出来る。
【００５０】
以上のように、第２実施形態のアナログ電子時計１００ａは、回転子２６の回転面内で回転方向と垂直方向に動作片２６ｂが設けられ、また、回転子２６が回転すると動作片２６ｂと接触して運動量を得る回転動作部２７が設けられている。そして、この回転動作部２７の回転に応じてシャッター１６の開閉が行われる。従って、回転子２６の移動量とシャッター１６の開閉に係る移動量とを別個に設定することが出来るので、圧電アクチュエータ３６０の配置設計が容易になる。
【００５１】
また、回転動作部２７を回転動作させることでシャッター１６の開閉制御を行うので、従来のステッピングモータによる開閉制御と同様のシャッター１６の配置や動作の見栄えを維持しつつ、高速での切り替えが可能となる。
【００５２】
また、十字型の回転動作部２７が回転動作する場合に、設定角度の回転がなされた位置で確実に静止するように板ばね２８が配置されているので、圧電素子３７、３８の微小変位から確実に表示の変更動作を完了して、その状態で維持させることが出来る。
【００５３】
また、板ばね２８などの弾性部材を用いて回転終了位置で静止するようにしているので、シャッター１６の回転動作中に板ばね２８自体の動作制御を行う必要が無く、処理を簡略化することが出来る。
【００５４】
なお、本発明は、上記実施の形態に限られるものではなく、様々な変更が可能である。
例えば、上記実施の形態では、回転子２６を第１回転軸Ｒ１の周りで回転動作させることでシャッター１６の回転動作を行わせたが、変形例２のように圧電素子３７、３８が対向配置された場合には、直線移動が可能となるので、回転子２６の代わりに移動部材をシャッター１６と共にガイドレール上で直線往復運動させるような形態であってもよい。
【００５５】
また、上記実施の形態では、回転子２６を動作させることでシャッター１６の回転を行わせたが、圧電素子３７、３８の伸長によりシャッター１６を直接回転動作させるようにシャッター１６を構成、配置しても良い。
【００５６】
また、上記実施の形態では、シャッター１６として部分的に不透過部材を利用又は上面に不透過処理を行ったものを例に挙げて説明したが、これに限られない。例えば、異なる波長の光を透過させる二種類の半透過部材（例えば、赤色と青色）のみを用い、同一の日付標識に対して二種類の情報、例えば、午前と午後を付加する場合にそれぞれ対応する半透過部材を露出させるというような形態であってもよい。また、下部の標識を開閉するためのシャッターとしてではなく、不透過部材自体に設けられた二種類の標識を切り替えるための可動部として用いることも出来る。
【００５７】
また、上記実施の形態では、磁石３９を用いて回転子２６を圧電素子３７、３８に接触させておく構成を例に挙げて説明したが、これに限られない。例えば、圧電素子３７、３８への電圧印加と同時に解除又は緩められるばねなどのストッパを用いることとしても良い。
【００５８】
また、上記実施の形態では、日車１５上の一日分の日付標識を開口部５から露出させる構成を示したが、前後の所定日数分の日付を併せて露出可能であっても良いし、或いは、曜日標識などの日付標識以外の他の情報に係る回転表示盤を選択的に露出させても良い。
【００５９】
また、上記実施の形態では、開口部５が一箇所設けられた例を挙げて説明したが、複数の開口部から露出させる複数の標識や目盛を一度に変更させる構成であっても良い。また、開口部の位置やサイズに応じて、シャッターや標識が設けられた回転板のサイズを適宜変更することが出来る。
【００６０】
また、上記実施の形態では、日車１５を回転させて、開口部５から露出させる標識を適宜変更可能としたが、開口部５に対応する位置に固定された一つの標識をシャッター１６で単純に遮蔽又は開放する形態であってもよい。
【００６１】
また、上記実施の形態では、腕時計型のアナログ電子時計１００、１００ａを例に挙げて説明したが、これらに限られない。他の携帯型時計や置時計、掛け時計などであってもよいし、アナログ表示による時計以外の情報表示装置、例えば、電子歩数計や血圧計などであっても良い。
その他、上記実施の形態で示した具体的な構成、構造や動作手順などの細部は、本発明の趣旨を逸脱しない範囲において適宜変更可能である。
【００６２】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００６３】
［付記］
＜請求項１＞
開口部が設けられた表示盤と、
所定の電圧が印加されることで伸長し、それぞれ一の端部が変位する一対の圧電素子と、
前記一の端部の変位に応じ、一の前記圧電素子に係る前記一の端部に接する位置から他の前記圧電素子に係る前記一の端部に接する位置へ移動する移動部材と、
前記移動部材と前記一対の圧電素子の何れかとの接触状態を維持するための移動部材停止手段と、
前記移動部材の移動に応じて前記開口部からの露出状態が切り替えられる標識と、
前記所定の電圧の印加を制御する表示制御手段と
を備えることを特徴とする情報表示装置。
＜請求項２＞
前記移動部材には強磁性体が含まれ、
前記移動部材停止手段は、磁石である
ことを特徴とする請求項１記載の情報表示装置。
＜請求項３＞
前記移動部材の移動は、予め定められた第１回転軸の周りを所定の第１角度範囲で回動する動作であることを特徴とする請求項１又は２記載の情報表示装置。
＜請求項４＞
上面に前記標識が設けられ、前記移動部材に固着された移動標識部を備え、
当該移動標識部が前記移動部材の移動に連動して前記開口部に対して移動することで、前記標識の前記開口部からの露出状態が切り替えられる
ことを特徴とする請求項１〜３の何れか一項に記載の情報表示装置。
＜請求項５＞
上面に前記標識が設けられ、前記開口部に対応する位置に配置された標識部と、
当該標識部と前記開口部との間に設けられ、前記移動部材に固着されたシャッター部と
を備え、
前記シャッター部が前記移動部材の移動に連動して前記開口部に対して移動することで、前記標識を選択的に遮蔽又は開放する
ことを特徴とする請求項１〜３の何れか一項に記載の情報表示装置。
＜請求項６＞
前記標識部には、所定の回転軸の周りに複数の標識が環状に配列されて設けられ、当該標識部が回転されることで前記開口部に対応する位置に所定数の標識が選択的に配置される
ことを特徴とする請求項５記載の情報表示装置。
＜請求項７＞
前記移動部材の移動の途中で当該移動部材と接触することで運動量を得て、前記移動部材の移動方向に応じた所定の位置へ移動する連結移動部材を備え、
前記標識は、当該連結移動部材の移動に応じて前記開口部からの露出状態が切り替えられる
ことを特徴とする請求項１〜３の何れか一項に記載の情報表示装置。
＜請求項８＞
前記連結移動部材は、第２回転軸の周りを所定の第２角度範囲で回転動作する
ことを特徴とする請求項７記載の情報表示装置。
＜請求項９＞
前記連結移動部材を前記第２角度範囲の両端の角度位置で静止させるための回転静止手段を備えることを特徴とする請求項８記載の情報表示装置。
＜請求項１０＞
前記回転静止手段は、前記第２角度範囲における所定の中間角度位置から両端の角度位置への向きの力を前記連結移動部材に加える弾性部材であることを特徴とする請求項９記載の情報表示装置。
＜請求項１１＞
上面に前記標識が設けられ、前記連結移動部材に固着された移動標識部を備え、
当該移動標識部が前記連結移動部材の移動に連動して前記開口部に対して移動することで、前記標識の前記開口部からの露出状態が切り替えられる
ことを特徴とする請求項７〜１０の何れか一項に記載の情報表示装置。
＜請求項１２＞
上面に前記標識が設けられ、前記開口部に対応する位置に配置された標識部と、
当該標識部と前記開口部との間に設けられ、前記連結移動部材に固着されたシャッター部と
を備え、
前記シャッター部が前記連結移動部材の移動に連動して前記開口部に対して移動することで、前記標識を選択的に遮蔽又は開放する
ことを特徴とする請求項７〜１０の何れか一項に記載の情報表示装置。
＜請求項１３＞
前記標識部には、所定の回転軸の周りに複数の標識が環状に配列されて設けられ、当該標識部が回転されることで前記開口部に対応する位置に所定数の標識が選択的に配置される
ことを特徴とする請求項１２記載の情報表示装置。
＜請求項１４＞
請求項１〜１３の何れか一項に記載の情報表示装置と、
複数の指針と、
時刻を計数する計時手段と、
前記計時手段の計数する時刻に応じて前記複数の指針を動作させて時刻を示させる指針制御手段と、
を備えることを特徴とするアナログ電子時計。
＜請求項１５＞
所定の電圧が印加されることで伸長し、それぞれ一の端部が変位する一対の圧電素子と、
前記一の端部の変位に応じ、一の前記圧電素子に係る前記一の端部に接する位置から他の前記圧電素子に係る前記一の端部に接する位置へ移動する移動部材と、
前記移動部材と前記一対の圧電素子の何れかとの接触状態を維持するための移動部材停止手段と
を備えることを特徴とする圧電アクチュエータ。
【符号の説明】
【００６４】
２     本体部
３     文字盤
４     ベゼル
５     開口部
６     ケーシング
７     バンド
１２   秒針
１３   分針
１４   時針
１５   日車
１６   シャッター
１６ａ シャッター
２２   輪列機構
２３   輪列機構
２４   輪列機構
２５   輪列機構
２５ａ 歯車
２５ｂ 歯車
２６   回転子
２６ａ 第１回転軸部
２６ｂ 動作片
２７   回転動作部
２７ａ 第２回転軸部
３２   ステッピングモータ
３４   ステッピングモータ
３６０ 圧電アクチュエータ
３６   ベース部
３７   圧電素子
３８   圧電素子
３９   磁石
３９ａ 磁石
３９ｂ 磁石
４１   ＣＰＵ
４２   ＲＯＭ
４３   ＲＡＭ
４４   発振回路
４５   分周回路
４６   計時回路
４７   駆動回路
４８   駆動部
５１   電源部
５２   昇圧回路
５３   操作部
５４   電波受信部
５５   アンテナ
１００ アナログ電子時計
１００ａ      アナログ電子時計
Ｒ１   第１回転軸
Ｒ２   第２回転軸
Ｓ１〜Ｓ３    押しボタンスイッチ
ＳＲ   リューズ
【図１】
2014062761.tif 000003
【図２】
2014062761.tif 000004
【図４】
2014062761.tif 000005
【図５】
2014062761.tif 000006
【図６】
2014062761.tif 000007
【図７】
2014062761.tif 000008
【図８】
2014062761.tif 000009
【図９】
2014062761.tif 000010
【図１０】
2014062761.tif 000011
【図３】
2014062761.tif 000012